(57)【特許請求の範囲】
【請求項１】
患者への診療の実績を表わす診療実績情報を記憶する診療実績情報データベース、該診療実績情報収集の条件を医薬品ごとに記述した条件情報ファイル、および該診療実績情報の形式を医薬品ごとに記述した診療実績フォーマットを有し、通信回線に接続され該通信回線を経由して送信されてきた診療実績情報を受信して前記診療実績情報データベースに記録する医薬品情報処理装置との間で通信回線を介して接続された、患者の診療録を記憶する診療録データベースおよび患者の検査結果を記憶する検査結果データベースを有するコンピュータを、
ユーザ操作により医薬品の指定を受けて指定された医薬品を前記医薬品情報処理装置に向けて通知する医薬品通知部と、
医薬品の通知を受けた前記医薬品情報処理装置から送信されてきた、通知を受けた医薬品に関する条件情報ファイルを基に、前記診療録データベースを検索して、該条件情報ファイルに記述された条件に合致した患者を抽出する患者抽出部と、
ユーザ操作により、前記患者抽出部により抽出された患者の中から診療実績情報作成対象となる患者の指定を受けて、前記診療録データベースと前記検査結果データベースを参照し、医薬品の通知を受けた前記医薬品情報処理装置から送信されてきた、通知を受けた医薬品に関する診療実績フォーマットに従って、指定を受けた患者の診療実績情報を作成して前記医薬品情報処理装置に送信する診療実績情報作成部と
して機能させることを特徴とする診療実績情報作成プログラム。
【請求項２】
患者への診療実績を表わす診療実績情報を記憶する診療実績情報データベース、該診療実績情報収集の条件を医薬品ごとに記述した条件情報ファイル、および該診療実績情報の形式を医薬品ごとに記述した診療実績フォーマットを有し、患者の診療録を記憶する診療録データベースおよび患者の検査結果を記憶する検査結果データベースを有する診療録記録装置との間で通信回線を介して接続されたコンピュータを、
前記診療録記録装置からの、指定された医薬品の通知を受けて、通知を受けた医薬品に関する条件情報ファイルと診療実績フォーマットを該診療録記録装置に伝達する条件／フォーマット伝達部と、
前記条件／フォーマット送信部からの条件情報ファイルと診療実績フォーマットの送信を受けた前記診療録記録装置で、前記診療録データベースと前記検査結果データベースを参照し該診療実績フォーマットに従って作成されて送信されてきた、前記条件情報ファイルに記述された条件に合致した患者の中から指定された診療実績情報作成対象となる患者についての診療実績情報を前記診療実績情報データベースに記録する診療実績情報更新部と、
して機能させることを特徴とする医薬品情報処理プログラム。
【請求項３】
前記コンピュータは、更に、評価ポイントの供与条件を医薬品ごとに設定したポイント設定データベースおよび医療機関に対する付与ポイント数を医療機関ごとに記憶するポイント実績データベースを有するコンピュータであって、前記医薬品情報処理プログラムは、前記コンピュータを更に、
前記ポイント設定データベースを参照して、前記条件／フォーマット送信部からの条件情報ファイルと診療実績フォーマットの送信を受けた前記診療録記録装置で作成されて送信されてきた診療実績情報のポイントを算出するポイント算出部と、
前記ポイント算出部で算出されたポイントを、診療実績情報を送信してきた診療録記録装置に対応する医療機関に対応づけて前記ポイント実績データベースに記録するポイント情報更新部と
して機能させることを特徴とする請求項２記載の医薬品情報処理プログラム。
【請求項４】
患者への診療の実績を表わす診療実績情報を記憶する診療実績情報データベース、該診療実績情報収集の条件を医薬品ごとに記述した条件情報ファイル、および該診療実績情報の形式を医薬品ごとに記述した診療実績フォーマットを有し、通信回線に接続され該通信回線を経由して送信されてきた診療実績情報を受信して前記診療実績情報データベースに記録する医薬品情報処理装置との間で通信回線を介して接続された、患者の診療録を記憶する診療録データベースおよび患者の検査結果を記憶する検査結果データベースを有する診療録記録装置内で実行される、
ユーザ操作により医薬品の指定を受けて指定された医薬品を前記医薬品情報処理装置に向けて通知する医薬品通知ステップと、
医薬品の通知を受けた前記医薬品情報処理装置から送信されてきた、通知を受けた医薬品に関する条件情報ファイルを基に、前記診療録データベースを検索して、該条件情報ファイルに記述された条件に合致した患者を抽出する患者抽出ステップと、
ユーザ操作により、前記患者抽出部により抽出された患者の中から診療実績情報作成対象となる患者の指定を受けて、前記診療録データベースと前記検査結果データベースを参照し、医薬品の通知を受けた前記医薬品情報処理装置から送信されてきた、通知を受けた医薬品に関する診療実績フォーマットに従って、指定を受けた患者の診療実績情報を作成して前記医薬品情報処理装置に送信する診療実績情報作成ステップと
を有することを特徴とする診療実績情報作成方法。
【請求項５】
互いに通信回線を介して接続された、患者の診療録を記憶する診療録データベースおよび患者の検査結果を記憶する検査結果データベースを有する診療録記録装置と、患者への診療の実績を表わす診療実績情報を記憶する診療実績情報データベース、該診療実績情報収集の条件を医薬品ごとに記述した条件情報ファイル、および該診療実績情報の形式を医薬品ごとに記述した診療実績フォーマットを有する医薬品情報処理装置とを備え、
前記診療録記録装置が、
ユーザ操作により医薬品の指定を受けて指定された医薬品を前記医薬品情報処理装置に向けて通知する医薬品通知部と、
医薬品の通知を受けた前記医薬品情報処理装置から送信されてきた、通知を受けた医薬品に関する条件情報ファイルを基に、前記診療録データベースを検索して、該条件情報ファイルに記述された条件に合致した患者を抽出する患者抽出部と、
ユーザ操作により、前記患者抽出部により抽出された患者の中から診療実績情報作成対象となる患者の指定を受けて、前記診療録データベースと前記検査結果データベースを参照し、医薬品の通知を受けた前記医薬品情報処理装置から送信されてきた、通知を受けた医薬品に関する診療実績フォーマットに従って、指定を受けた患者の診療実績情報を作成して前記医薬品情報処理装置に送信する診療実績情報作成部とを有し、
前記医薬品情報処理装置が、
前記診療録記録装置からの医薬品の通知を受けて、通知を受けた医薬品に関する条件情報ファイルと診療実績フォーマットを該診療録記録装置に伝達する条件／フォーマット伝達部と、
前記条件／フォーマット送信部からの条件情報ファイルと診療実績フォーマットの送信を受けた前記診療録記録装置で作成されて送信されてきた診療実績情報を前記診療実績情報データベースに記録する診療実績情報更新部とを有することを特徴とする医薬品情報システム。
【発明の詳細な説明】
【０００１】
【発明の属する技術分野】
本発明は、診療録記録装置に医薬品情報を提供する医薬品情報処理装置、医薬品情報処理装置に診療実績情報を提供する診療録記録装置、医薬品情報処理装置と診療録記録装置とからなる医薬品情報提供システム、医薬品情報処理プログラム、および診療録記録プログラムに関する。
【０００２】
【従来の技術】
最近、医師が作成した診療録を電子的に記録する診療録記録装置を採用した医療機関が増加しつつある。この診療録には患者の治療に使用した医薬品の治療効果や副作用などの診療実績情報が記録されており、この診療実績情報は、新薬開発を行う製薬会社や医薬品販売会社などの担当者にとって極めて重要な情報源となっている。
【０００３】
そこで、医療機関で使用された新薬等の治療効果や副作用情報などの診療実績情報を収集するために、製薬会社や医薬品販売会社など、医薬品供給者側のＭＲ（Ｍｅｄｉｃａｌ  Ｒｅｐｒｅｓｅｎｔａｔｉｖｅｓ：医療情報担当者）は直接医療機関を訪問し、医師に面会して使用成績調査票と呼ばれる文書に診療実績を記入して貰うことにより医薬品に関する診療実績情報の収集を行っている。
【０００４】
一方、医療機関側では、開発されたばかりの新薬についての情報を迅速に入手することを望んでおり、その情報入手のルートの一つとして、医療機関を訪問した医薬品供給者側のＭＲが直接医師に面会した際に新薬等の効能や副作用、相互作用等に関する医薬品情報を入手するというルートがあり、これが医師にとって貴重な情報入手ルートとなっている。
【０００５】
【発明が解決しようとする課題】
しかし、医薬品供給者が上記のようなルートで新薬の開発に必要な診療実績情報を収集するには、医師への直接説明に伴う時間的制約により、ＭＲには訪問調整における多大の労力を要し、医薬品供給者には多額の人的費用が発生するという問題がある。
【０００６】
また、医療機関の医師が診療実績情報を作成するにあたっては、治療に使用した医薬品に関する診療録を検索して診療実績情報を収集しなければならず膨大な作業負担が発生する等の問題がある。
【０００７】
また、医療機関の医師が新薬についての情報を入手するにも、現状では上記のＭＲからのルートに依存する以外に効率のよい情報入手ルートがなく、最新の医薬品情報を迅速に入手することは困難である。
【０００８】
本発明は、上記事情に鑑み、医薬品供給者による診療実績情報の収集に好適な医薬品情報処理装置、医療機関による医薬品情報の入手に好適な診療録記録装置、医薬品情報提供システム、医薬品情報処理プログラム、および診療録記録プログラムを提供することを目的とする。
【０００９】
【課題を解決するための手段】
上記目的を達成する本発明の医薬品情報処理装置は、
医療機関側に設置され医療担当者によって作成された診療録を記録する診療録記録装置との間で通信回線によって接続され、上記診療録記録装置に記録された診療録のうちその診療録記録装置が設置された医療機関で使用している医薬品に関する診療実績情報の提供を受け、提供を受けた診療実績情報に関する処理を行う診療実績情報処理部と、上記医療機関から提供された診療実績情報に応じてその医療機関に評価ポイントを供与する評価ポイント供与部とを備えたことを特徴とする。
【００１０】
ここで、上記診療録記録装置は、その診療録記録装置が設置されている医療機関に期限付きで使用権が与えられているものであって、上記医薬品情報処理装置は、上記診療録記録装置が設置されている医療機関によるその診療録記録装置の使用権の期限を管理する使用権期限管理部を備え、その使用権期限管理部が、上記評価ポイント供与部によって上記医療機関に供与された評価ポイントの累積値に応じて上記使用権の期限を延長するものであることが好ましい。
【００１１】
また、上記医薬品情報処理装置が、医療機関ごとの診療録記録装置の使用権の期限を記録する使用権記録データベースを備え、上記使用権期限管理部が、上記使用権の期限を延長するに際し、上記使用権記録データベースに記録された期限を自動的に更新するものであることも好ましい態様である。
【００１２】
さらに、上記医薬品情報処理装置が、予め医薬品毎に評価ポイントの供与条件を設定したポイント設定データベースと、そのポイント設定データベースに格納された評価ポイントの供与条件、および医療機関から提供された診療実績情報の提供条件に基づいて評価ポイントを算出するポイント算出部とを備えたものであることも好ましい態様の一つである。
【００１３】
上記目的を達成する本発明の診療録記録装置は、
医薬品供給者側に設置され医薬品に関する医薬品情報を医療機関に提供する医薬品情報処理装置と通信回線によって接続された、医療機関側に設置され医療担当者によって作成された診療録を所定の診療録データベースに記録する診療録記録装置において、上記医薬品情報処理装置から新薬に関する医薬品情報を自動的に取得し画面上に表示する医薬品情報取得表示部を備えたことを特徴とする。
【００１４】
ここで、上記医薬品情報取得表示部が、上記医療機関が使用している医薬品および最近購入した医薬品についての医薬品情報を取得し表示するものであることが好ましい。
【００１５】
また、上記医薬品情報取得表示部は、上記医療機関においてすでに使用実績のある新薬に関する医薬品情報以外の医薬品情報を取得し表示するものであることも好ましい態様である。
【００１６】
さらに、前記評価ポイント供与部により医療機関に供与された評価ポイントを参照する評価ポイント参照部を有するものであることも好ましい態様の一つである。
【００１７】
また、上記目的を達成する本発明の医薬品情報提供システムは、
医療機関側に設置され医療担当者によって作成された診療録を所定の診療録データベースに記録するとともに、上記診療録データベースに記録された診療録のうちその医療機関で使用している医薬品に関する診療実績情報を医薬品供給者に提供する診療録記録装置と、医薬品供給者側に設置され通信回線によって上記診療録記録装置と接続された、上記診療録記録装置から提供された診療実績情報に応じてその医療機関に評価ポイントを供与する評価ポイント供与部を備えた医薬品情報処理装置とを有することを特徴とする。
【００１８】
ここで、上記診療録記録装置が、上記医薬品情報処理装置から新薬に関する医薬品情報を自動的に取得し画面上に表示する医薬品情報取得表示部を備え、上記評価ポイント供与部は、上記医薬品情報取得表示部が、上記医薬品情報処理装置から新薬に関する医薬品情報を取得し表示するごとに、上記医療機関に評価ポイントを供与するものであることが好ましい。
【００１９】
また、上記診療録記録装置が、上記診療録データベースに記録するための、上記診療実績情報を含む診療録を入力する診療録入力部を備え、上記診療録入力部による診療実績情報の入力に際し、上記医薬品情報処理装置から提供された医薬品情報を画面上に表示するとともにその表示された医薬品情報の中から入力すべき医薬品名を選択する医薬品情報選択部を有し、かつ上記医薬品情報選択部が、画面上に表示された医薬品が上記評価ポイント供与部によるポイント供与の対象となる医薬品であるか否かを表示するものであることも好ましい態様である。
【００２０】
また、上記医薬品情報処理装置が、医薬品供給者が要求する診療実績情報についての条件を記述した条件情報を上記診療録記録装置に伝達する条件情報伝達部を有し、かつ上記診療録記録装置が、上記条件情報伝達部により伝達されてきた条件情報に基づき診療実績情報の対象となる患者を上記診療録データベースの中から抽出し抽出された対象患者についての情報を画面上に表示する対象患者抽出表示部を有することも好ましい態様の一つである。
【００２１】
さらに、上記医薬品情報処理装置が、上記診療録記録装置で作成すべき診療実績情報の書式をその診療録記録装置に伝達する診療実績書式伝達部を有し、かつ上記診療録記録装置が、上記診療実績書式伝達部から伝達されてきた診療実績情報の書式を上記診療録データベースの書式に変換する書式変換対応データベースを有するものであり、上記診療実績書式伝達部から伝達されてきた診療実績情報の書式と、上記書式変換対応データベースとに基づいて、上記診療録データベースに記録された診療録を編集して診療実績情報を生成する診療実績情報生成部を有することも好ましい態様の一つである。
【００２２】
また、上記目的を達成する本発明の医薬品情報処理プログラムは、
医療機関側に設置され医療担当者によって作成された診療録を記録する診療録記録装置との間で通信回線によって接続されたコンピュータにより実行され、そのコンピュータを、上記診療録記録装置に記録された診療録のうちその診療録記録装置が設置された医療機関で使用している医薬品に関する診療実績情報の提供を受け、提供を受けた診療実績情報に関する処理を行う診療実績情報処理部と、上記医療機関から提供された診療実績情報に応じて該医療機関に評価ポイントを供与する評価ポイント供与部とを備えた医薬品情報処理装置として動作させることを特徴とする。
【００２３】
また、上記目的を達成する本発明の診療録記録プログラムは、
医薬品供給者側に設置され医薬品に関する医薬品情報を医療機関に提供する医薬品情報処理装置と通信回線によって接続されたコンピュータにより実行され、そのコンピュータを、医療機関側に設置され医療担当者によって作成された診療録を所定の診療録データベースに記録する診療録記録装置として動作させる診療録記録プログラムにおいて、上記医薬品情報処理装置から新薬に関する医薬品情報を自動的に取得し画面上に表示する医薬品情報取得表示部を有することを特徴とする。
【００２４】
【発明の実施の形態】
以下、本発明の実施形態について説明する。
【００２５】
図１は、本発明の一実施形態の医薬品情報提供システムを運用するためのコンピュータシステムの一部分を示す図である。
【００２６】
ここには、５台のコンピュータシステム１００，２００，３００，４００，５００が示されており、このうち、例えば、２台のコンピュータシステム１００，２００が、本発明の医療情報処理装置として構成され、３台のコンピュータシステム３００，４００，５００が、本発明の診療録記録装置として構成される。
【００２７】
これらの各コンピュータシステム１００，２００，３００，４００，５００は、通信回線６００を介して互いに接続されている。この通信回線は、ＷＷＷ（インターネット）のような外部ネットワークでも、ＬＡＮ（Ｌｏｃａｌ  ＡｒｅａＮｅｔｗｏｒｋ）でも、あるいはＷＡＮ（Ｗｉｄｅ  Ａｒｅａ  Ｎｅｔｗｏｒｋ）でもよい。
【００２８】
各コンピュータシステム１００，２００，３００，４００，５００は、ＣＰＵ（中央処理装置）、ＲＡＭ（ランダムアクセスメモリ）、ハードディスク、通信用ボード等が内蔵された本体部１０１，２０１，３０１，４０１，５０１、本体部１０１，２０１，３０１，４０１，５０１からの指示により表示画面１０２ａ，２０２ａ，３０２ａ，４０２ａ，５０２ａ上に画像や文字列を表示する表示部１０２，２０２，３０２，４０２，５０２、コンピュータシステム１００，２００，３００，４００，５００に利用者の指示を入力するためのキーボード１０３，２０３，３０３，４０３，５０３、表示画面１０２ａ，２０２ａ，３０２ａ，４０２ａ，５０２ａ上の任意の位置を指定することにより、その指定時にその位置に表示されていたアイコン等に応じた指示を入力するマウス１０４，２０４，３０４，４０４，５０４を備えている。
【００２９】
本体部１０１，２０１，３０１，４０１，５０１は、さらに外観上、ＦＤ（フロッピィディスク：図示せず）、ＭＯ（光磁気ディスク）７００が装填されるＦＤ装填口１０１ａ，２０１ａ，３０１ａ，４０１ａ，５０１ａ、ＭＯ装填口１０１ｂ，２０１ｂ、３０１ｂ，４０１ｂ，５０１ｂを有しており、それらの内部には、それらの装填口から装填されたフロッピィディスクやＭＯ７００をドライブしてアクセスするフロッピィディスクドライバおよびＭＯドライバも内蔵されている。
【００３０】
以下の説明では、代表としてコンピュータシステム１００についてのみ説明する。
【００３１】
図２は、図１に示す外観を有するコンピュータシステムのハードウェア構成図である。
【００３２】
このハードウェア構成図には、ＣＰＵ１１１、ＲＡＭ１１２、ハードディスクコントローラ１１３、フロッピィディスクドライバ１１４、ＭＯドライバ１１５、マウスコントローラ１１６、キーボードコントローラ１１７、ディスプレイコントローラ１１８、および通信用ボード１１９が示されており、それらはバス１１０で相互に接続されている。
【００３３】
フロッピィディスクドライバ１１４、ＭＯドライバ１１５は、図１を参照して説明したように、それぞれフロッピィディスク７１０、ＭＯ７００が装填され、装填されたフロッピィディスク７１０およびＭＯ７００をアクセスするものである。
【００３４】
通信用ボード１１９は通信回線６００に接続される。
【００３５】
また、図２には、ハードディスクコントローラ１１３によりアクセスされるハードディスク１２０、マウスコントローラ１１６により制御されるマウス１０４、キーボードコントローラ１１７により制御されるキーボード１０３、およびディスプレイコントローラ１１８により制御されるＣＲＴディスプレイ１０２も示されている。
【００３６】
以上説明したコンピュータシステム上に本発明の医薬品情報処理装置、診療録記録装置、および医薬品情報提供システムが構築され運用される。
【００３７】
図３は、本発明の医薬品情報処理装置、診療録記録装置、および医薬品情報提供システムの一実施形態の概略構成図である。
【００３８】
先ず、図３を参照しながら、本実施形態の医薬品情報処理装置１０について説明する。
【００３９】
本実施形態の医薬品情報処理装置１０は、医療機関側に設置され医療担当者によって作成された診療録を記録する診療録記録装置３０との間で通信回線５０によって接続され、診療録記録装置３０に記録された診療録のうち診療録記録装置３０が設置された医療機関で使用している医薬品に関する診療実績情報の提供を受け、提供を受けた診療実績情報に関する処理を行う診療実績情報更新部１７およびポイント算出部１４と、医療機関から提供された診療実績情報に応じてその医療機関に評価ポイントを供与するポイント情報更新部１９とを備えている。
【００４０】
医薬品供給者側の医薬品情報処理装置１０および医療機関側の診療録記録装置３０には、それぞれ通信部１６および通信部３８が備えられており、医薬品供給者側の通信部１６および医療機関側の通信部３８は通信回線５０によって接続され、相互に情報を送受信することができるようになっている。
【００４１】
なお、本実施形態における診療実績情報更新部１７およびポイント算出部１４は、本発明にいう診療実績情報処理部に相当するものであり、また、本実施形態におけるポイント情報更新部１９は、本発明にいう評価ポイント供与部に相当するものである。
【００４２】
なお、本発明にいう医薬品供給者とは、本実施形態における製薬会社のほかに医薬品販売会社など医療機関に対して医薬品を供給する者すべてを含むものである。
【００４３】
上記の診療実績情報は、図３に示すように、医療機関側における医師の操作に基づき診療実績情報生成部３６によって、診療録記録装置３０内の診療録データベース３１に記録された診療録、および検査結果データベース４５に記録された医療機関内や外注検査センタでの検査結果を基に作成され、診療実績情報送信部３７により医療機関側の通信部３８、通信回線５０、および製薬会社側の通信部１６を経由して診療実績情報更新部１７に送信される。
【００４４】
診療実績情報更新部１７は、医療機関から送信されてきた診療実績情報により診療実績データベース１８を更新すると共に、受信した診療実績情報をポイント算出部１４に伝達する。
【００４５】
ポイント算出部１４は、医療機関から診療実績情報更新部１７を経由して伝達された診療実績情報に基づき、ポイント設定データベース１３に設定されている各医薬品毎の評価ポイントの供与条件などのポイント設定情報を参照して評価ポイントを算出する。ポイント算出部１４により評価ポイントが算出された場合には、ポイント情報更新部１９にポイント情報を伝達する。
【００４６】
図４は、本実施形態におけるポイント設定データベースのファイル構造を示す図である。
【００４７】
図４に示すように、このポイント設定データベースには、ポイント加算対象の医薬品コード、ポイントモード、すなわち、ポイントを提供するモードが先着性のモードか期間性のモードか、ポイントモードが先着性の場合は先着件数、ポイントモードが期間性の場合は提供期間、および提供するポイント数などが格納されている。
【００４８】
ポイント情報更新部１９は、ポイント算出部１４から伝達されたポイント情報を、製薬会社側のポイント実績データベース２０に記録すると共に、そのポイント情報を製薬会社側の通信部１６、通信回線５０、および医療機関側の通信部３８を介して医療機関側のポイント情報更新部３９に伝達する。
【００４９】
医療機関側のポイント情報更新部３９は、製薬会社側のポイント情報更新部１９から伝達されてきたポイント情報をポイント実績データベース４０に記録する。ポイント実績データベース４０は、製薬会社側のポイント実績データベース２０との整合性確保のために、その医療機関で取得したポイント情報を記録しておくためのデータベースである。
【００５０】
図５は、製薬会社側のポイント実績データベースのファイル構造を示す図である。
【００５１】
表に示すように、製薬会社側のポイント実績データベースには、医療機関コード、医師情報、ポイントを取得した日、ポイント取得対象医薬品コード、取得ポイント数、および医療機関側のポイント実績データベースに反映済か否かを表す送信完了フラグが記録されている。
【００５２】
図６は、医療機関側のポイント実績データベースのファイル構造を示す図である。
【００５３】
図６に示すように、医療機関側のポイント実績データベースには、医師情報、ポイント取得日、ポイント取得対象医薬品コード、および取得ポイント数が記録されている。
【００５４】
ポイント情報がポイント実績データベース４０に正常に記録された場合は、通信回線５０経由で製薬会社側のポイント情報更新部１９にその旨が通知される。もし、そのポイント情報が正常に医療機関側のポイント実績データベース４０に更新されなかった場合は、医療機関側のポイント情報更新部３９から、通信回線５０経由で製薬会社側のポイント情報更新部１９にその旨が通知され、ポイント実績データベース２０に、医療機関側には未送信のポイント情報がある旨の情報が記録される。製薬会社側のポイント実績データベース２０に未送信のポイント情報がある場合には、定期的に医療機関側に更新情報の送信を行い、正常に更新された場合には、ポイント実績データベース２０内の未送信情報をクリアする。
【００５５】
図７は、本実施形態における診療実績データベース１８のファイル構造を示す図である。
【００５６】
図７に示すように、この診療実績データベースには、医薬品コード、医療機関コード、診療実績情報を提供した医師を識別する情報、投与対象となった患者の基本情報及び既往症等の情報、対象医薬品の投薬状況、患者の経過状況、同時に併用した医薬品の情報、副作用等の有害事象情報、同時に併用した医薬品の情報、診療実績情報が登録された日時などの診療実績情報が記録されている。
【００５７】
次に、医療機関側における診療実績情報の作成から、製薬会社側に診療実績情報が収集されるまでの処理の流れについてフローチャートを参照しながら説明する。
【００５８】
図８、図９、および図１０は、診療実績情報の作成から、医薬品情報処理装置に診療実績情報が収集されるまでの処理の流れを示すフローチャートである。
【００５９】
医療機関側の診療記録装置１０に備えられた医薬品情報取得表示部３２（図３参照）は、図８に示すように、医薬品ごとに提供ポイント数が記述された診療実績情報提供ポイント一覧を通信回線５０経由で製薬会社側から取得する（ステップＳ０１）。
【００６０】
次に、医師が上記の医薬品の中から所望の医薬品を選択すると製薬会社から、図８に示すように、「年齢１５歳以上で、投薬期間４週間以上」というような診療実績情報の条件情報ファイルが取得される（ステップＳ０２）。
【００６１】
次に、取得した条件情報ファイルに設定された条件を元に、診療録データベース３１（図３参照）を検索する（ステップＳ０３）。
【００６２】
次に、上記の条件に該当する患者は存在するか否かが判定される（ステップＳ０４）。判定の結果、該当する患者が存在しなければ処理を終了する（ステップＳ０５）。判定の結果、該当する患者が存在する場合は、図８に示すような対象患者一覧を画面上に表示する（ステップＳ０６）。
【００６３】
なお、ステップＳ０５において処理を終了させずに先頭に戻り、ステップＳ０１以降の処理を繰り返すように構成してもよい。
【００６４】
次に、対象患者一覧の中から患者を選択すると製薬会社から、図８に示すような該当医薬品の診療実績フォーマット（書式）が伝達される。図８に示す診療実績フォーマットは、データ定義部分とスタイル定義部分とからなり、ＸＭＬ言語（Ｅｘｔｅｎｓｉｂｌｅ  Ｍａｒｋｕｐ  Ｌａｎｇｕａｇｅ）で記述されている（ステップＳ０７）。なお、条件情報ファイル取得の際に診療実績フォーマットも同時に取得するように構成してもよい。
【００６５】
次に、診療録記録装置側の書式変換対応データベース３５（図３参照）を用い、製薬会社側から取得した診療実績書式情報を解析する（ステップＳ０８）。
【００６６】
図１１は、本実施形態の書式変換対応データベースのファイル構造を示す図である。
【００６７】
図１１に示すように、この書式変換対応データベースには、要素名、テーブル名、およびフィールド名が記録されている。
【００６８】
次に、図９に示すように、解析済みの診療実績書式情報を元に診療録データベースおよび検査結果データベースからデータを取得し、図９に示すように、医薬品Ｃについて、医師佐藤太郎により作成された患者斉藤次郎に対する使用成績調査票が画面上に表示される（ステップＳ０９）。なお、図示の画面から診療録の参照が行えるように構成してもよい。
【００６９】
図１２は、本実施形態における検査結果データベースのファイル構造を示す図である。
【００７０】
図１２に示すように、この検査結果データベースには、患者情報、検査日時、検査項目、検査結果の結果値、および検査項目の基準値が記録されている。
【００７１】
次に、図９に示す画面右下にある「送信ボタン」を押下すると、作成された診療実績情報が製薬会社側に送信される。また、この際送信した内容を自動的に診療録記録装置側に保存するようにしてもよい（ステップＳ１０）。
【００７２】
次に、製薬会社側では、送信された診療実績情報が条件に適合しているか否かを判定する（ステップＳ１１）。判定の結果、条件に適合していない場合は、その旨を医療機関に通知し（ステップＳ１２）、処理を終了する（ステップＳ１３）。判定の結果、条件に適合している場合は、製薬会社側の診療実績情報更新部１７（図３参照）では送信されてきた診療実績情報を診療実績データベース１８（図３参照）に記録する（ステップＳ１４）。また、診療実績情報更新部１７（図３参照）は受信した内容をポイント算出部１４（図３参照）へも伝達し、ポイント算出部１４ではポイント設定データベース１３（図９：ポイント設定ＤＢ例参照）を元に、現在送られてきた診療実績情報のポイントを計算する（ステップＳ１５）。この例では、医薬品Ｃの患者斉藤次郎への投薬に対しポイント２５００が算出される。
【００７３】
次に、ポイント数が正であるか否かを判定し（ステップＳ１６）、判定の結果、ポイント数が正でない場合は、処理を終了する（ステップＳ１７）。判定の結果、ポイント数が正である場合は、算出されたポイント数等の情報をポイント情報更新部１９（図３参照）へ伝達する（ステップＳ１８）。
【００７４】
ポイント情報更新部１９では医療機関情報やポイント数等をポイント実績データベース２０（図３参照）へ記録する。こうして、製薬会社側のポイント実績データベース２０には、図９に示すようなポイント実績情報が記録される（ステップＳ１９）。
【００７５】
なお、このポイント算出の際に、医薬品の購入量等に応じて、優待医療機関等の設定ができるようにしておき、評価ポイントにサービスポイントを加算するなどの仕組みを組み込んだ構成としてもよい。
【００７６】
次に、図１０に示すように、ポイント情報更新部１９では同情報を医療機関側のポイント情報更新部３９へ伝達する（ステップＳ２０）。
【００７７】
次に、医療機関側のポイント情報更新部３９では、受信した内容を図１０に示す医療機関側のポイント実績ＤＢ例のように、医師佐藤太郎のポイント実績２５００が、ポイント実績データベース４０に記録される（ステップＳ２１）。
【００７８】
ポイント情報更新部３９は、正常に更新できた場合は製薬会社側のポイント情報更新部１９へ通知する（ステップＳ２２）。
【００７９】
製薬会社のポイント情報更新部１９において（ステップＳ２３）、正常に更新できた旨を医療機関側から受信した場合は、製薬会社側のポイント実績データベース２０の送信完了フラグを“１”にして（ステップＳ２４）処理を終了する。一方、製薬会社のポイント情報更新部１９において（ステップＳ２３）、タイムオーバまたは更新エラー通知を医療機関側から受信した場合は、製薬会社側のポイント実績データベース２０の送信完了フラグを“０”にして（ステップＳ２５）処理を終了する。
【００８０】
次に、製薬会社側のポイント実績データベースと医療機関側のポイント実績データベースとの整合性を確保するための処理について説明する。
【００８１】
図１３は、製薬会社側のポイント実績データベースと医療機関側のポイント実績データベースとの整合処理のフローチャートである。
【００８２】
図１３に示すように、先ず、製薬会社側のポイント実績データベース２０に送信完了フラグ＝“０”のデータがあるか否かを判定し（ステップＳ３１）、判定の結果、送信完了フラグ＝“０”のデータがない場合は処理を終了する（ステップＳ３７）。ステップＳ３１における判定の結果、送信完了フラグ＝“０”のデータがある場合は、送信完了フラグ＝“０”のデータを医療機関側のポイント情報更新部３９（図３参照）へ送信する（ステップＳ３２）。医療機関側のポイント情報更新部３９では受信した内容をポイント実績データベース４０に記録する（ステップＳ３３）。
【００８３】
ポイント実績データベース４０に正常に更新できた場合は、製薬会社側のポイント情報更新部１９（図３参照）へその旨を通知する（ステップＳ３４）。
【００８４】
製薬会社側のポイント情報更新部１９において（ステップＳ３４）、正常に更新できた旨を医療機関側から受信した場合は、製薬会社側のポイント実績データベース２０の送信完了フラグを“１”にし（ステップＳ３５）、先頭に戻りステップＳ３１以降の処理を繰り返す。一方、製薬会社のポイント情報更新部１９において（ステップＳ３４）、タイムオーバまたは更新エラー通知を医療機関側から受信した場合は、製薬会社側のポイント実績データベース２０の送信完了フラグを“０”にして（ステップＳ３６）から先頭に戻りステップＳ３１以降の処理を繰り返す。
【００８５】
なお、上記の処理は設定ファイル等により設定された間隔で自動的に実行されるようになっている。
【００８６】
次に、診療録記録装置の使用権の期限延長処理について説明する。
【００８７】
本実施形態の診療録記録装置３０は、その診療録記録装置の設置されている医療機関に期限付きで使用権が与えられているものであり、医薬品情報処理装置１０は、診療録記録装置３０が設置されている医療機関による診療録記録装置３０の使用権の期限を管理する使用権期限管理部２２を備え、使用権期限管理部２２が、ポイント情報更新部１９（評価ポイント供与部）によって医療機関に供与された評価ポイントの累積値に応じて上記使用権の期限を延長するように構成されている。
【００８８】
また、本実施形態の医薬品情報処理装置１０は、医療機関ごとの診療録記録装置３０の使用権の期限を記録する使用権記録データベース２３を備え、使用権期限管理部２２が、使用権の期限を延長するに際し、使用権記録データベース２３に記録された期限を自動的に更新するように構成されている。
【００８９】
図１４は、評価ポイントにより診療録記録装置の使用期限が延長されるようにした場合のプロセスを示すフローチャートである。
【００９０】
図１４に示すように、診療録記録装置が起動される（ステップＳ６１）と、本日の日付が使用期限以内であるか否かが判定される（ステップＳ６２）。
【００９１】
この診療録記録装置の使用期限は次式により定義される。
【００９２】
使用期限＝ベンダから購入した使用期限＋診療実績情報提供ポイントによる延長期間
ここで、「診療実績情報提供ポイントによる延長期間」は、次に示す２つのパターンのうちから、医療機関が取得することができる。
【００９３】
「単純比例型」：一日延長当り何ポイントという風に定め、診療実績情報提供ポイント÷１日延長当りの規定ポイントで自動算出される。
【００９４】
「ポイント購入型」：医療機関が取得、蓄積した診療実績情報提供ポイントを、医療機関が必要に応じて診療録記録装置の延長使用権を獲得する方法。なお、この変換レートは、１００ポイントで１日、４００ポイントで５日、という具合に階段式に設定されている。医療機関が診療実績情報提供ポイントを診療録記録装置の延長使用権として獲得した場合は、その情報が診療録記憶装置に記録される。
【００９５】
ステップＳ６２の判定の結果、使用期限以内である場合は診療録記録装置を起動し（ステップＳ６３）、ステップＳ６２の判定の結果、使用期限を超過している場合は使用期限切れのメッセージを表示して処理を終了する（ステップＳ６４）。
【００９６】
このようにして診療録記録装置の使用権のチェックを行うことができる。
【００９７】
次に、図３を参照しながら、本実施形態の診療録記録装置３０について説明する。
【００９８】
本実施形態の診療録記録装置３０は、図３に示すように、製薬会社側に設置され医薬品に関する医薬品情報を医療機関に提供する医薬品情報処理装置１０と通信回線５０によって接続された、医療機関側に設置され医療担当者によって作成された診療録を所定の診療録データベース３１に記録する診療録記録装置３０において、医薬品情報処理装置１０から新薬に関する医薬品情報を自動的に取得し画面上に表示する医薬品情報取得表示部３２を備えている。
【００９９】
医薬品情報は、図３に示すように、製薬会社側の医薬品情報処理装置１０に備えられた医薬品データベース１５に格納されている。
【０１００】
図１５は、本実施形態における医薬品データベース１５のファイル構造を示す図である。
【０１０１】
図１５に示すように、この医薬品データベース１５には、医薬品コード、医薬品名、厚生省コード、情報送信フラグ、一日や一月等の極量に関する極量情報、配合禁忌に関する情報、相互作用に関する情報、診療録記録装置へ表示する医薬品情報を優先して表示したい医薬品に対して設定される医薬品情報優先表示フラグ、医薬品情報の更新日時などのデータが格納されている。
【０１０２】
図３に示すように、医薬品情報処理装置１０には医薬品情報抽出部２１が備えられており、この医薬品情報抽出部２１は、医薬品データベース１５に格納されている医薬品情報および診療実績データベース１８に格納されている診療実績情報から医薬品に関する各種情報の抽出を行う。
【０１０３】
この医薬品情報処理装置１０による医薬品情報の抽出は、例えば医薬品情報処理装置１０の起動時に自動的に行われるように構成してもよく、また、所定の時間間隔で自動的に行われるように構成してもよく、さらに、医薬品情報処理装置の担当者の操作により行われるように構成してもよい。
【０１０４】
また、本実施形態の診療録記録装置３０では、医薬品情報取得表示部３２が、医療機関が使用している医薬品および最近購入した医薬品についての医薬品情報を自動的に取得し画面上に表示するように構成されている。
【０１０５】
また、本実施形態の診療録記録装置３０は、医薬品情報取得表示部３２が、医療機関においてすでに使用実績のある新薬に関する医薬品情報以外の医薬品情報を取得し表示するように構成されている。
【０１０６】
この医薬品情報取得表示部３２は、製薬会社側の通信部１６、通信回線５０、および医療機関側の通信部３８を介して、製薬会社側の医薬品情報抽出部２１より医薬品に関する文書情報（相互作用等）を取得して医薬品マスタ４１に記録する。
【０１０７】
図１６は、本実施形態の診療記録装置に備えられる医薬品マスタのファイル構造を示す図である。
【０１０８】
図１６に示すように、医薬品マスタには、医薬品コード、医薬品名、厚生省コード、医薬品情報選択部において強調表示を行う医薬品の識別のための強調表示フラグ、一日や一月等の極量に関する極量情報、配合禁忌情報、相互作用に関する情報、および薬効に関する情報などが記録される。
【０１０９】
なお上記の情報取得の際に、医薬品情報の取得および表示だけではなく、診療実績データベース１８に格納されている診療実績情報の参照も可能である。なお、診療実績情報提供によるポイント加算対象医薬品については他と識別する情報を診療実績データベース１８に記録する。
【０１１０】
なお、医薬品情報取得表示部３２の表示対象の医薬品情報は医療機関における使用医薬品の効能に準じた新薬による絞り込みや、その医療機関で既に使用している医薬品をマスクすることにより、医薬品情報の効率的な取得および表示が可能な構成となっている。
【０１１１】
次に、診療録記録装置における医薬品情報の取得のプロセスについて説明する。
【０１１２】
図１７は、本実施形態の診療録記録装置における医薬品情報の取得のフローチャートである。
【０１１３】
図１７に示すように、医療機関側では、診療録記録装置１０の起動時など、所定のタイミングで医薬品情報取得表示部３２（図３参照）が起動される（ステップＳ４１）。なお、医薬品情報取得表示部３２の起動タイミングは、任意に指定してもよい。また、一定時間間隔で自動的に起動するようにしてもよい。
【０１１４】
医薬品情報取得表示部３２は製薬会社側の医薬品情報抽出部２１（図３参照）に医薬品情報の提供を依頼する（ステップＳ４２）。
【０１１５】
製薬会社側の医薬品情報抽出部２１は各医療機関における前回アクセス時刻以降に更新された医薬品データを医療機関側の医薬品情報取得表示部３２へ送信する（ステップＳ４３）。なお、医療機関ごとのアクセス情報をデータベースで管理しておき、そのアクセス情報に基づいて抽出を行うようにしてもよい。
【０１１６】
医療機関側の医薬品情報取得表示部３２では受信した医薬品情報を医薬品マスタ４１に記録し（ステップＳ４４）処理を終了する。
【０１１７】
次に、診療録記録装置における医薬品情報の表示のプロセスについて説明する。
【０１１８】
図１８は、本実施形態の診療録記録装置における医薬品情報の表示のプロセスを示すフローチャートである。
【０１１９】
図１８に示すように、医療機関側では、診療録記録装置３０（図３参照）の起動時等に医薬品情報取得表示部３２に表示される医薬品を以下のプロセスで抽出する（ステップＳ５１）。
【０１２０】
医療機関で使用している医薬品を診療録データベース３１から検索し、その薬効情報を元に医薬品を抽出する（ステップＳ５２）。
【０１２１】
ここで、既に使用している医薬品を診療録データベース３１で検索し、該当する医薬品は除外する（ステップＳ５３）。また、一度表示済で、かつ医師により「この医薬品は今後表示しない」と指定された医薬品は除外する（ステップＳ５４）。
【０１２２】
さらに、残った医薬品リストの中から近々の更新日の医薬品を図１８に示す、抗リウマチ剤  医薬品Ｄのような画面で表示する。なお、この際に医薬品の表示の順序に多少ランダム性を持たせてもよい（ステップＳ５５）。
【０１２３】
図１８に示した画面上の「詳細参照」ボタンを選択した場合は、該当医薬品についての相互作用や副作用情報等の詳細情報画面を表示する（ステップＳ５６）。また、「診療実績参照」ボタンを選択した場合は、製薬会社から診療実績情報を取得し、該当医薬品における診療実績情報を表示する（ステップＳ５７）。また、「この医薬品は今後表示しない」がチェックされた場合は、医薬品データベースにその旨を記録する（ステップＳ５８）。
【０１２４】
なお、ステップＳ５６で「詳細参照」ボタンが選択された場合に、ポイントを加算するようにしてもよく、また、ステップＳ５７で「診療実績参照」ボタンが選択された場合に、ポイントを加算するようにしてもよい。
【０１２５】
次に、製薬会社側のポイント情報更新部１９に対して、医薬品情報を表示した旨の通知を行う。ここで、必要に応じて該当の医療機関に対してポイントを加算するようにしてもよい（ステップＳ５９）。以上により処理を終了する。
【０１２６】
医薬品情報取得表示部３２は、また、医療機関側から製薬会社側に診療実績情報を提供することによる評価ポイントの加算対象となる医薬品を、他の医薬品と識別するための情報を医薬品マスタ４１に保有することができるようになっている。
【０１２７】
診療録データベース３１は、医師により作成された、患者の症状や経過状況、投薬内容や処置内容等を記録した診療録が格納されるデータベースであり、診療録入力部３３は、医師の入力操作によって入力された診療録データを診療録データベース３１に記録するものである。
【０１２８】
図１９は、本実施形態における診療録データベースのファイル構造を示す図である。
【０１２９】
図１９に示すように、この診療録データベースには、患者情報、診療科情報、受診日時、診療録を記載した医師の情報、患者の症状や経過について記載した症状経過情報、医師が患者に対して行った処置処方情報、および患者の病名情報が記録される。
【０１３０】
次に、図３を参照しながら、本実施形態の医薬品情報提供システム１について説明する。
【０１３１】
本実施形態の医薬品情報提供システム１は、図３に示すように、医療機関側に設置され医療担当者によって作成された診療録を診療録データベース３１に記録するとともに、診療録データベース３１に記録された診療録のうちその医療機関で使用している医薬品に関する診療実績情報を製薬会社に提供する診療録記録装置３０と、製薬会社側に設置され外部ネットワーク３０によって診療録記録装置３０と接続された、診療録記録装置３０から提供された診療実績情報に応じてその医療機関に評価ポイントを供与するポイント情報更新部１９を備えた医薬品情報処理装置１０とを有している。
【０１３２】
また、本実施形態の医薬品情報提供システムでは、診療録記録装置３０が、医薬品情報処理装置１０から新薬に関する医薬品情報を自動的に取得し画面上に表示する医薬品情報取得表示部３２を備え、上記のポイント情報更新部１９は、医薬品情報取得表示部３２が、医薬品情報処理装置１０から新薬に関する医薬品情報を取得し表示するごとに、医療機関に評価ポイントを供与するように構成されている。
【０１３３】
また、この医薬品情報提供システムでは、診療録記録装置３０が、診療録データベース３１に記録するための、診療実績情報を含む診療録を入力する診療録入力部３３を備え、診療録入力部３３による診療実績情報の入力に際し、医薬品情報処理装置１０から提供された医薬品情報を画面上に表示するとともにその表示された医薬品情報の中から入力すべき医薬品名を選択する医薬品情報選択部３４を有し、かつ医薬品情報選択部３４が、画面上に表示された医薬品がポイント情報更新部１９によるポイント供与の対象となる医薬品であるか否かを表示するように構成されており、この医薬品情報選択部３４により、医師は、医薬品マスタ４１を医師の要求する形式で検索して画面上に表示させ、それを見ながら診療録の作成（入力）の際に医薬品情報を選択して入力することが可能である。この医薬品情報選択部３４は、医薬品マスタ４１が保有しているポイント対象医薬品等の識別情報により、画面上で強調表示するようになっている。
【０１３４】
図２０は、本実施形態における医薬品情報選択部により画面上に表示される医薬品一覧表示画面の例である。
【０１３５】
図２０に示すように、この画面上には、医薬品Ａ、医薬品Ｂ、医薬品Ｃの３種類の医薬品名称およびその提供ポイントが一覧表示され、提供ポイントが設定されている医薬品Ａおよび医薬品Ｃの医薬品名称は強調表示されているが、提供ポイントが設定されていない医薬品Ｂは強調表示されていない。
【０１３６】
医薬品情報選択部３４により、画面上に表示された医薬品がポイント情報更新部１９によるポイント供与の対象となる医薬品であるか否かを表示するために、医薬品情報処理装置１０には、ポイント設定データベース１３に設定されている各医薬品毎のポイント設定情報を取得する設定ポイント取得部２５が備えられており、各医薬品毎のポイント設定情報を取得して通信回線５０経由で医療機関側の医薬品情報選択部３４に伝達するように構成されている。
【０１３７】
また、この医薬品情報提供システムでは、医薬品情報処理装置１０が、製薬会社が要求する診療実績情報についての条件を記述した条件情報を診療録記録装置３０に伝達する条件情報伝達部２４を有し、かつ診療録記録装置３０が、条件情報伝達部２４により伝達されてきた条件情報に基づき診療実績情報の対象となる患者を診療録データベース３１の中から抽出し抽出された対象患者についての情報を画面上に表示する対象患者抽出表示部４３を有するものとして構成されている。
【０１３８】
また、この医薬品情報提供システムでは、医薬品情報処理装置１０が、診療録記録装置３０で作成すべき診療実績情報の書式をその診療録記録装置３０に伝達する診療実績書式伝達部１２を有し、かつ診療録記録装置３０が、診療実績書式伝達部１２から伝達されてきた診療実績情報の書式を診療録データベース３１の書式に変換する診療実績書式変換部４２を有するものであり、診療実績書式伝達部１２から伝達されてきた診療実績情報の書式と、書式変換対応データベース３５とに基づいて、診療録データベース３１に記録された診療録を編集して診療実績情報を生成する診療実績情報生成部３６を有している。
【０１３９】
本実施形態の診療実績書式伝達部１２では、医薬品毎に存在する診療実績情報の書式をＸＭＬ等の書式（図８参照）を用いて汎用的なデータ形式として医療機関側に送信する。
【０１４０】
診療実績書式変換部４２は、診療実績書式伝達部１２から医療機関側に送信されてきた、診療実績情報を作成するための書式情報と、書式変換対応データベース３５に設定されている医療機関側の診療録データベース３１との対応情報を元に書式解析を行い、解析結果を診療実績情報生成部３６に伝達する。
【０１４１】
診療実績情報生成部３６は、医療機関において医師が新薬等を投与した場合の治療効果や副作用等の有害事象、併用医薬品等の情報を製薬会社側に情報提供するために用いられる。ただし、医薬品毎に診療実績情報の書式が異なるので診療実績書式変換部４２を経由して、その医薬品に対応した書式で診療実績情報の作成が行えるようになっている。更に書式変換対応データベース３５を用いることにより、診療録データベース３１から診療実績情報が自動的に展開され、診療実績情報の作成が容易な構成となっている。
【０１４２】
診療実績情報生成部３６で生成された診療実績情報は、診療実績情報送信部３７により通信回線５０を介して製薬会社側に送信される。
【０１４３】
さらに、本実施形態では、診療録記録装置３０が、ポイント情報更新部１９（評価ポイント供与部）により医療機関に供与され、ポイント実績データベース４０に記憶された評価ポイントを参照する評価ポイント参照部４４を有するものとして構成されている。この評価ポイント参照部４４により、医療機関側では、その医療機関に供与された評価ポイントの最新の値を迅速かつ随時に参照することができる。
【０１４４】
次に、本発明の医薬品情報処理プログラムの一実施形態について説明する。
【０１４５】
図２１は、本実施形態の医薬品情報処理プログラムの構成図である。
【０１４６】
図２１に示すように、この医薬品情報処理プログラム６０は、医療機関側に設置され医療担当者によって作成された診療録を記録する診療録記録装置（図３参照：符号３０）との間で通信回線（図３参照：符号５０）によって接続されたコンピュータにより実行され、そのコンピュータを、上記診療録記録装置に記録された診療録のうちその診療録記録装置が設置された医療機関で使用している医薬品に関する診療実績情報の提供を受け、提供を受けた診療実績情報に関する処理を行う診療実績情報処理部６１と、上記医療機関から提供された診療実績情報に応じて該医療機関に評価ポイントを供与する評価ポイント供与部６２とを備えた医薬品情報処理装置（図３参照：符号１０）として動作させるプログラムである。
【０１４７】
この医薬品情報処理プログラム６０は、図１を参照して説明したコンピュータシステム１００，２００，３００，４００，５００のうち、例えばコンピュータシステム１００，２００上にインストールされて医薬品情報処理装置としての運用が行われる。
【０１４８】
次に、本発明の診療録記録プログラムの一実施形態について説明する。
【０１４９】
図２２は、本実施形態の診療録記録プログラムの構成図である。
【０１５０】
図２２に示すように、この診療録記録プログラム７０は、医薬品供給者側に設置され医薬品に関する医薬品情報を医療機関に提供する医薬品情報処理装置（図３参照：符号１０）と通信回線（図３参照：符号５０）によって接続されたコンピュータにより実行され、そのコンピュータを、医療機関側に設置され医療担当者によって作成された診療録を所定の診療録データベースに記録する診療録記録装置（図３参照：符号３０）として動作させるプログラムであって、上記医薬品情報処理装置から新薬に関する医薬品情報を自動的に取得し画面上に表示する医薬品情報取得表示部７１を有する。
【０１５１】
この診療録記録プログラム７０は、図１を参照して説明したコンピュータシステム１００，２００，３００，４００，５００のうち、例えばコンピュータシステム３００，４００，５００上にインストールされて診療録記録装置としての運用が行われる。
【０１５２】
以下、本発明の各種態様を付記する。
【０１５３】
（付記１）  医療機関側に設置され医療担当者によって作成された診療録を記録する診療録記録装置との間で通信回線によって接続され、前記診療録記録装置に記録された診療録のうち該診療録記録装置が設置された医療機関で使用している医薬品に関する診療実績情報の提供を受け、提供を受けた診療実績情報に関する処理を行う診療実績情報処理部と、前記医療機関から提供された診療実績情報に応じて該医療機関に評価ポイントを供与する評価ポイント供与部とを備えたことを特徴とする医薬品情報処理装置。
【０１５４】
（付記２）  前記診療録記録装置は、該診療録記録装置が設置されている医療機関に期限付きで使用権が与えられているものであって、
前記医薬品情報処理装置は、前記診療録記録装置が設置されている医療機関による該診療録記録装置の使用権の期限を管理する使用権期限管理部を備え、該使用権期限管理部が、前記評価ポイント供与部によって前記医療機関に供与された評価ポイントの累積値に応じて前記使用権の期限を延長するものであることを特徴とする付記１記載の医薬品情報処理装置。
【０１５５】
（付記３）  前記医薬品情報処理装置が、医療機関ごとの診療録記録装置の使用権の期限を記録する使用権記録データベースを備え、
前記使用権期限管理部が、前記使用権の期限を延長するに際し、前記使用権記録データベースに記録された期限を自動的に更新するものであることを特徴とする付記２記載の医薬品情報処理装置。
【０１５６】
（付記４）  前記医薬品情報処理装置が、予め医薬品毎に評価ポイントの供与条件を設定したポイント設定データベースと、該ポイント設定データベースに格納された評価ポイントの供与条件、および医療機関から提供された診療実績情報の提供条件に基づいて評価ポイントを算出するポイント算出部とを備えたことを特徴とする付記１記載の医薬品情報処理装置。
【０１５７】
（付記５）  医薬品供給者側に設置され医薬品に関する医薬品情報を医療機関に提供する医薬品情報処理装置と通信回線によって接続された、医療機関側に設置され医療担当者によって作成された診療録を所定の診療録データベースに記録する診療録記録装置において、
前記医薬品情報処理装置から新薬に関する医薬品情報を自動的に取得し画面上に表示する医薬品情報取得表示部を備えたことを特徴とする診療録記録装置。
【０１５８】
（付記６）  前記医薬品情報取得表示部が、前記医療機関が使用している医薬品および最近購入した医薬品についての医薬品情報を取得し表示するものであることを特徴とする付記５記載の診療録記録装置。
【０１５９】
（付記７）  前記医薬品情報取得表示部は、前記医療機関においてすでに使用実績のある新薬に関する医薬品情報以外の医薬品情報を取得し表示するものであることを特徴とする付記５記載の診療録記録装置。
【０１６０】
（付記８）  前記評価ポイント供与部により医療機関に供与された評価ポイントを参照する評価ポイント参照部を有することを特徴とする付記５記載の診療録記録装置。
【０１６１】
（付記９）  医療機関側に設置され医療担当者によって作成された診療録を所定の診療録データベースに記録するとともに、前記診療録データベースに記録された診療録のうち該医療機関で使用している医薬品に関する診療実績情報を医薬品供給者に提供する診療録記録装置と、医薬品供給者側に設置され通信回線によって前記診療録記録装置と接続された、前記診療録記録装置から提供された診療実績情報に応じて該医療機関に評価ポイントを供与する評価ポイント供与部を備えた医薬品情報処理装置とを有することを特徴とする医薬品情報提供システム。
【０１６２】
（付記１０）  前記診療録記録装置が、前記医薬品情報処理装置から新薬に関する医薬品情報を自動的に取得し画面上に表示する医薬品情報取得表示部を備え、
前記評価ポイント供与部は、前記医薬品情報取得表示部が、前記医薬品情報処理装置から新薬に関する医薬品情報を取得し表示するごとに、前記医療機関に評価ポイントを供与するものであることを特徴とする付記９記載の医薬品情報提供システム。
【０１６３】
（付記１１）  前記診療録記録装置が、前記診療録データベースに記録するための、前記診療実績情報を含む診療録を入力する診療録入力部を備え、
前記診療録入力部による診療実績情報の入力に際し、前記医薬品情報処理装置から提供された医薬品情報を画面上に表示するとともに該表示された医薬品情報の中から入力すべき医薬品名を選択する医薬品情報選択部を有し、かつ
前記医薬品情報選択部が、画面上に表示された医薬品が前記評価ポイント供与部によるポイント供与の対象となる医薬品であるか否かを表示するものであることを特徴とする付記９記載の医薬品情報提供システム。
【０１６４】
（付記１２）  前記医薬品情報処理装置が、医薬品供給者が要求する診療実績情報についての条件を記述した条件情報を前記診療録記録装置に伝達する条件情報伝達部を有し、かつ
前記診療録記録装置が、前記条件情報伝達部により伝達されてきた条件情報に基づき診療実績情報の対象となる患者を前記診療録データベースの中から抽出し抽出された対象患者についての情報を画面上に表示する対象患者抽出表示部を有することを特徴とする付記９記載の医薬品情報提供システム。
【０１６５】
（付記１３）  前記医薬品情報処理装置が、前記診療録記録装置で作成すべき診療実績情報の書式を該診療録記録装置に伝達する診療実績書式伝達部を有し、かつ
前記診療録記録装置が、前記診療実績書式伝達部から伝達されてきた診療実績情報の書式を前記診療録データベースの書式に変換する書式変換対応データベースを有するものであり、前記診療実績書式伝達部から伝達されてきた診療実績情報の書式と、前記書式変換対応データベースとに基づいて、前記診療録データベースに記録された診療録を編集して診療実績情報を生成する診療実績情報生成部を有することを特徴とする付記９記載の医薬品情報提供システム。
【０１６６】
（付記１４）  医療機関側に設置され医療担当者によって作成された診療録を記録する診療録記録装置との間で通信回線によって接続されたコンピュータにより実行され、該コンピュータを、前記診療録記録装置に記録された診療録のうち該診療録記録装置が設置された医療機関で使用している医薬品に関する診療実績情報の提供を受け、提供を受けた診療実績情報に関する処理を行う診療実績情報処理部と、前記医療機関から提供された診療実績情報に応じて該医療機関に評価ポイントを供与する評価ポイント供与部とを備えた医薬品情報処理装置として動作させることを特徴とする医薬品情報処理プログラム。
【０１６７】
（付記１５）  医薬品供給者側に設置され医薬品に関する医薬品情報を医療機関に提供する医薬品情報処理装置と通信回線によって接続されたコンピュータにより実行され、該コンピュータを、医療機関側に設置され医療担当者によって作成された診療録を所定の診療録データベースに記録する診療録記録装置として動作させる診療録記録プログラムにおいて、
前記医薬品情報処理装置から新薬に関する医薬品情報を自動的に取得し画面上に表示する医薬品情報取得表示部を有することを特徴とする診療録記録プログラム。
【０１６８】
【発明の効果】
以上、説明したように、本発明の医薬品情報処理装置によれば、医療機関側に設置され医療担当者によって作成された診療録を記録する診療録記録装置との間で通信回線によって接続され、診療録記録装置に記録された診療録のうち診療録記録装置が設置された医療機関で使用している医薬品に関する診療実績情報の提供を受け、提供を受けた診療実績情報に関する処理を行う診療実績情報処理部と、医療機関から提供された診療実績情報に応じて医療機関に評価ポイントを供与する評価ポイント供与部とを備えたことにより、時間遅れがなく低コストで診療実績情報を収集でき、ポイント制度により医療機関側に診療実績情報提供意欲を向上させることが可能であるなど、医薬品供給者による診療実績情報の収集に好適な医薬品情報処理装置を実現することができる。
【０１６９】
また、本発明の診療録記録装置によれば、医薬品供給者側に設置され医薬品に関する医薬品情報を医療機関に提供する医薬品情報処理装置と通信回線によって接続された、医療機関側に設置され医療担当者によって作成された診療録を所定の診療録データベースに記録する診療録記録装置において、医薬品情報処理装置から新薬に関する医薬品情報を自動的に取得し画面上に表示する医薬品情報取得表示部を備えたことにより、医師がＭＲから直接説明を受けるなどの時間が節約されるなど医療機関による新薬等の未購入の医薬品に関する情報の入手に好適な診療録記録装置を実現することができる。
【０１７０】
また、本発明の医薬品情報提供システムによれば、医療機関側に設置され医療担当者によって作成された診療録を所定の診療録データベースに記録するとともに、診療録データベースに記録された診療録のうち医療機関で使用している医薬品に関する診療実績情報を医薬品供給者に提供する診療録記録装置と、医薬品供給者側に設置され通信回線によって診療録記録装置と接続された、診療録記録装置から提供された診療実績情報に応じて該医療機関に評価ポイントを供与する評価ポイント供与部を備えた医薬品情報処理装置とを有することにより、医師の診療実績情報作成における作業軽減が図られ、また医療機関における診療録記録装置の維持費が軽減されるなど、医薬品供給者および医療機関双方にとって好適な医薬品情報提供システムを実現することができる。
【０１７１】
また、本発明の医薬品情報処理プログラムによれば、医療機関側に設置され医療担当者によって作成された診療録を記録する診療録記録装置との間で通信回線によって接続されたコンピュータにより実行され、そのコンピュータを、上記診療録記録装置に記録された診療録のうちその診療録記録装置が設置された医療機関で使用している医薬品に関する診療実績情報の提供を受け、提供を受けた診療実績情報に関する処理を行う診療実績情報処理部と、上記医療機関から提供された診療実績情報に応じて該医療機関に評価ポイントを供与する評価ポイント供与部とを備えたことにより、時間遅れがなく低コストで診療実績情報を収集でき、ポイント制度により医療機関側に診療実績情報提供意欲を向上させることが可能であるなど、医薬品供給者による診療実績情報の収集に好適な医薬品情報処理装置をコンピュータ上に容易に形成することができる。
【０１７２】
また、本発明の診療録記録プログラムによれば、医薬品供給者側に設置され医薬品に関する医薬品情報を医療機関に提供する医薬品情報処理装置と通信回線によって接続されたコンピュータにより実行され、そのコンピュータを、医療機関側に設置され医療担当者によって作成された診療録を所定の診療録データベースに記録する診療録記録装置として動作させるプログラムであって、上記医薬品情報処理装置から新薬に関する医薬品情報を自動的に取得し画面上に表示する医薬品情報取得表示部７１を有するものとしたことにより、医師がＭＲから直接説明を受けるなどの時間が節約されるなど医療機関による新薬等の未購入の医薬品に関する情報の入手に好適な診療録記録装置をコンピュータ上に容易に形成することができる。
【図面の簡単な説明】
【図１】本発明の一実施形態の医薬品情報提供システムを運用するためのコンピュータシステムの一部分を示す図である。
【図２】図１に示す外観を有するコンピュータシステムのハードウェア構成図である。
【図３】本発明の医薬品情報処理装置、診療録記録装置、および医薬品情報提供システムの一実施形態の概略構成図である。
【図４】本実施形態におけるポイント設定データベースのファイル構造を示す図である。
【図５】製薬会社側のポイント実績データベースのファイル構造を示す図である。
【図６】医療機関側のポイント実績データベースのファイル構造を示す図である。
【図７】本実施形態における診療実績データベース１８のファイル構造を示す図である。
【図８】診療実績情報の作成から、医薬品情報処理装置に診療実績情報が収集されるまでの処理の流れを示すフローチャートである。
【図９】診療実績情報の作成から、医薬品情報処理装置に診療実績情報が収集されるまでの処理の流れを示すフローチャートである。
【図１０】診療実績情報の作成から、医薬品情報処理装置に診療実績情報が収集されるまでの処理の流れを示すフローチャートである。
【図１１】本実施形態の書式変換対応データベースのファイル構造を示す図である。
【図１２】本実施形態における検査結果データベースのファイル構造を示す図である。
【図１３】製薬会社側のポイント実績データベースと医療機関側のポイント実績データベースとの整合処理のフローチャートである。
【図１４】評価ポイントにより診療録記録装置の使用期限が延長されるようにした場合のプロセスを示すフローチャートである。
【図１５】本実施形態における医薬品データベース１５のファイル構造を示す図である。
【図１６】本実施形態の診療記録装置に備えられる医薬品マスタのファイル構造を示す図である。
【図１７】本実施形態の診療録記録装置における医薬品情報の取得のフローチャートである。
【図１８】本実施形態の診療録記録装置における医薬品情報の表示のプロセスを示すフローチャートである。
【図１９】本実施形態における診療録データベースのファイル構造を示す図である。
【図２０】本実施形態における医薬品情報選択部により画面上に表示される医薬品一覧表示画面の例である。
【図２１】本実施形態の医薬品情報処理プログラムの構成図である。
【図２２】本実施形態の診療録記録プログラムの構成図である。
【符号の説明】
１    医薬品情報提供システム
１０    医薬品情報処理装置
１２    診療実績書式伝達部
１３    ポイント設定データベース
１４    ポイント算出部
１５    医薬品データベース
１６    通信部
１７    診療実績情報更新部
１８    診療実績データベース
１９    ポイント情報更新部
２０    ポイント実績データベース
２１    医薬品情報抽出部
２２    使用権期限管理部
２３    使用権記録データベース
２４    条件情報伝達部
２５    設定ポイント取得部
３０    診療録記録装置
３１    診療録データベース
３２    医薬品情報取得表示部
３３    診療録入力部
３４    医薬品情報選択部
３５    書式変換対応データベース
３６    診療実績情報生成部
３７    診療実績情報送信部
３８    通信部
３９    ポイント情報更新部
４０    ポイント実績データベース
４１    医薬品マスタ
４２    診療実績書式変換部
４３    対象患者抽出表示部
４４    評価ポイント参照部
４５    検査結果データベース
５０    通信回線
６０    医薬品情報処理プログラム
６１    診療実績情報処理部
６２    評価ポイント供与部
７０    診療録記録プログラム
７１    医薬品情報取得表示部
１００，２００，３００，４００，５００    コンピュータシステム
１０１，２０１，３０１，４０１，５０１    本体部
１０１ａ，２０１ａ，３０１ａ，４０１ａ，５０１ａ    ＦＤ装填口
１０１ｂ，２０１ｂ、３０１ｂ，４０１ｂ，５０１ｂ    ＭＯ装填口
１０２，２０２，３０２，４０２，５０２    表示部（ＣＲＴディスプレイ）
１０２ａ，２０２ａ，３０２ａ，４０２ａ，５０２ａ    表示画面
１０３，２０３，３０３，４０３，５０３    キーボード
１０４，２０４，３０４，４０４，５０４    マウス
１１０    バス
１１１    ＣＰＵ
１１２    ＲＡＭ
１１３    ハードディスクコントローラ
１１４    フロッピィディスクドライバ
１１５    ＭＯドライバ
１１６    マウスコントローラ
１１７    キーボードコントローラ
１１８    ディスプレイコントローラ
１１９    通信用ボード
６００    通信回線
７００    ＭＯ（光磁気ディスク）
【図１】
0003943342.tif 000002
【図２】
0003943342.tif 000003
【図３】
0003943342.tif 000004
【図４】
0003943342.tif 000005
【図５】
0003943342.tif 000006
【図６】
0003943342.tif 000007
【図７】
0003943342.tif 000008
【図８】
0003943342.tif 000009
【図９】
0003943342.tif 000010
【図１０】
0003943342.tif 000011
【図１１】
0003943342.tif 000012
【図１２】
0003943342.tif 000013
【図１３】
0003943342.tif 000014
【図１４】
0003943342.tif 000015
【図１５】
0003943342.tif 000016
【図１６】
0003943342.tif 000017
【図１７】
0003943342.tif 000018
【図１８】
0003943342.tif 000019
【図１９】
0003943342.tif 000020
【図２０】
0003943342.tif 000021
【図２１】
0003943342.tif 000022
【図２２】
0003943342.tif 000023